(57)【特許請求の範囲】
【請求項１】
先端側に向かって次第に大径化するテーパ面を有したチップ電極と、リング電極とアース電極とを備えたコネクタプラグを前記コネクタプラグの軸芯に沿って受け入れ可能なプラグ挿入口が形成されたジャック本体を有し、前記コネクタプラグが前記プラグ挿入口に挿入完了された状態において、前記チップ電極と接当するチップ接片ならびに前記リング電極と接当するリング接片ならびに前記アース電極と接当するアース接片を前記プラグ挿入口内に備えたコネクタ用ジャックであって、
前記チップ接片は、前記チップ電極の軸芯を挟んで対向する複数の板状接片部と、前記複数の板状接片部の基端部同士を連結する板状連結部とを有して配置され、
前記リング接片と前記アース接片とは、前記コネクタプラグに接する面が直交するように配置されて、
前記挿入完了状態において、前記チップ接片とは別途に前記チップ電極の前記テーパ面を径方向の内側に向かって弾性的に押し付けるバネ部材からなる規制手段を、前記コネクタプラグの軸芯を挟んで前記アース接片と対向するように備えて、各接片と前記規制手段とで前記コネクタプラグの前記プラグ挿入口からの抜け出しを規制するように形成されると共に、
前記チップ接片は、前記コネクタプラグの挿入過程において、前記チップ電極上の先端と接当開始する接当開始部位を有し、
前記リング接片は、前記コネクタプラグの挿入過程において、前記チップ電極の基端と接当する接当部位を有し、且つ、
前記リング接片の前記接当部位から前記チップ接片の前記接当開始部位までの前記軸芯に沿った距離は、前記チップ電極の前記先端から前記基端までの距離を超えるように形成されているコネクタ用ジャック。
【請求項２】
先端側に向かって次第に大径化するテーパ面を有したチップ電極と、リング電極とアース電極とを備えたコネクタプラグを前記コネクタプラグの軸芯に沿って受け入れ可能なプラグ挿入口が形成されたジャック本体を有し、前記コネクタプラグが前記プラグ挿入口に挿入完了された状態において、前記チップ電極と接当するチップ接片ならびに前記リング電極と接当するリング接片ならびに前記アース電極と接当するアース接片を前記プラグ挿入口内に備えたコネクタ用ジャックであって、
前記チップ接片は、前記チップ電極の軸芯を挟んで対向する複数の板状接片部と、前記複数の板状接片部の基端部同士を連結する板状連結部とを有して配置され、
前記リング接片と前記アース接片とは、前記コネクタプラグに接する面が直交するように配置されて、
前記挿入完了状態において、前記チップ接片とは別途に前記チップ電極の前記テーパ面を径方向の内側に向かって弾性的に押し付けるバネ部材からなる規制手段を、前記コネクタプラグの軸芯を挟んで前記アース接片と対向するように備えて、各接片と前記規制手段とで前記コネクタプラグの前記プラグ挿入口からの抜け出しを規制するように形成されると共に、
前記コネクタプラグの前記プラグ挿入口への挿入操作に際して、前記チップ電極が前記リング接片と接当するが前記チップ接片とは離間している初期状態に引き続き、前記リング接片が前記チップ電極から引き離され、且つ、前記チップ電極が前記チップ接片と離間した中間状態を経て、前記チップ電極が前記チップ接片と接当し、前記リング電極が前記リング接片と接当する挿入完了状態へ移行するコネクタ用ジャック。
【発明の詳細な説明】
【０００１】
【発明の属する技術分野】
本発明は、コネクタプラグと連結されることによって電気機器どうし等の電気的な接続状態を実現するためのコネクタ用ジャックに関する。より具体的には、本発明は、チップ電極とリング電極を備えたコネクタプラグ（単頭プラグとも呼ばれる）を前記コネクタプラグの軸芯に沿って受け入れ可能なプラグ挿入口が形成されたジャック本体を有し、前記コネクタプラグが前記プラグ挿入口に挿入完了された状態において、前記チップ電極と接当するチップ接片ならびに前記リング電極と接当するリング接片を前記プラグ挿入口内に備えたコネクタ用ジャックに関する。
【０００２】
【従来の技術】
上記のコネクタ用ジャックの構成を開示した資料として、本願と同一出願人による発明を記載した実用新案登録第２５５８１７９号公報、或いは、実用新案登録第２５９４２９９号公報がある。これらの従来技術によるコネクタプラグとコネクタ用ジャックでは、リング接片の接当部位からチップ接片の接当開始部位までの軸芯に沿った距離は、チップ電極の先端から基端までの距離よりも短くなるように形成されている。言い換えれば、これらの従来技術によるコネクタプラグとコネクタ用ジャックの構成は、電気機器のユーザーが前記コネクタプラグをコネクタ用ジャックの前記プラグ挿入口へ挿入する際に、先ず、前記チップ電極が前記リング接片と接当するが前記チップ接片とは離間している第１状態が生じ（この第１状態では当然に、リング電極側は前記リング接片と前記チップ接片のいずれとも離間している）、次に、前記挿入操作の更なる進行に伴って、前記チップ電極が前記リング接片と前記チップ接片の双方と同時に接当した中間状態を経た後に、最終的な状態すなわち、前記チップ電極が前記チップ接片と接当し、前記リング電極が前記リング接片と接当した挿入完了状態へと移り変わるようになっている。
【０００３】
【発明が解決しようとする課題】
したがって、上記の従来技術によるコネクタプラグとコネクタ用ジャックの構成では、コネクタプラグをコネクタ用ジャックへ挿入開始してから挿入完了するまでの経過で必ず遭遇する上記の中間状態において、前記リング接片と前記チップ接片とが、前記チップ電極を介してショートする現象が見られた。このショートは、電気機器に発生するノイズの原因となる。このショートに基づくノイズを有効に抑制乃至は防止する電気回路を、コネクタプラグとコネクタ用ジャックによって接続される電気機器に設けることには大きな困難（電気機器の寸法が増大する、或いは製造コストが上がる等の困難）が伴うため、結果として、これらのノイズは放置されているのが現状であった。
【０００４】
因みに、コネクタプラグについては、その形状寸法が規格によって規定されているため、例えば、コネクタプラグ上のチップ電極とリング電極を挿入方向と平行に延びた一対の電極にする等といった、コネクタプラグとコネクタ用ジャックの間の電気的接続形態の大きな変更に及ぶ解決策は、ここでは望ましくない。
【０００５】
したがって、本発明の目的は、上に例示した従来技術によるコネクタ用ジャックの持つ前述した欠点に鑑み、コネクタプラグをコネクタ用ジャックへ挿入する途中で、リング接片とチップ接片の間のショートに基づくノイズの発生する虞のないコネクタ用ジャックを、ノイズを防止するための電気回路等の手段に頼ること無く、提供することにある。
【０００６】
【課題を解決するための手段】
上記目的を達成するために、本発明に係る先端側に向かって次第に大径化するテーパ面を有したチップ電極と、リング電極とアース電極とを備えたコネクタプラグを前記コネクタプラグの軸芯に沿って受け入れ可能なプラグ挿入口が形成されたジャック本体を有し、前記コネクタプラグが前記プラグ挿入口に挿入完了された状態において、前記チップ電極と接当するチップ接片ならびに前記リング電極と接当するリング接片ならびに前記アース電極と接当するアース接片を前記プラグ挿入口内に備えたコネクタ用ジャックは、以下の特徴構成を備えている。
即ち、本発明に係るコネクタ用ジャックは、前記チップ接片は、前記チップ電極の軸芯を挟んで対向する複数の板状接片部と、前記複数の板状接片部の基端部同士を連結する板状連結部とを有して配置され、前記リング接片と前記アース接片とは、前記コネクタプラグに接する面が直交するように配置されて、前記挿入完了状態において、前記チップ接片とは別途に前記チップ電極の前記テーパ面を径方向の内側に向かって弾性的に押し付けるバネ部材からなる規制手段を、前記コネクタプラグの軸芯を挟んで前記アース接片と対向するように備えて、各接片と前記規制手段とで前記コネクタプラグの前記プラグ挿入口からの抜け出しを規制するように形成されると共に、前記チップ接片は、前記コネクタプラグの挿入過程において、前記チップ電極上の先端と接当開始する接当開始部位を有し、前記リング接片は、前記コネクタプラグの挿入過程において、前記チップ電極の基端と接当する接当部位を有し、且つ、前記リング接片の前記接当部位から前記チップ接片の前記接当開始部位までの前記軸芯に沿った距離は、前記チップ電極の前記先端から前記基端までの距離を超えるように形成されていることを特徴としている。
【０００７】
このような特徴構成を備えているために、本発明の特許請求の範囲第１項によるコネクタ用ジャックでは、前記コネクタプラグの前記プラグ挿入口への挿入操作に際して、前記チップ電極が前記リング接片と接当するが前記チップ接片とは離間している初期状態に引き続き、前記チップ電極が前記リング接片と前記チップ接片の双方と同時に接当した状態を一度も介することなく、最終的な、前記チップ電極が前記チップ接片と接当し、前記リング電極が前記リング接片と接当した挿入完了状態へ移行するようになっている。したがって、コネクタプラグをコネクタ用ジャックへ挿入する途中で、前記リング接片と前記チップ接片とがコネクタプラグの電極を介して一時的にでもショートすることがなく、このため、前記リング接片と前記チップ接片の間のショートに基づくノイズの発生も見られなくなった。
【０００８】
また、本発明に係るコネクタ用ジャックは、前記チップ接片は、前記チップ電極の軸芯を挟んで対向する複数の板状接片部と、前記複数の板状接片部の基端部同士を連結する板状連結部とを有して配置され、前記リング接片と前記アース接片とは、前記コネクタプラグに接する面が直交するように配置されて、前記挿入完了状態において、前記チップ接片とは別途に前記チップ電極の前記テーパ面を径方向の内側に向かって弾性的に押し付けるバネ部材からなる規制手段を、前記コネクタプラグの軸芯を挟んで前記アース用のリング電極と接当するリング接片と対向するように備えて、各接片と前記規制手段とで前記コネクタプラグの前記プラグ挿入口からの抜け出しを規制するように形成されると共に、前記コネクタプラグの前記プラグ挿入口への挿入操作に際して、前記チップ電極が前記リング接片と接当するが前記チップ接片とは離間している初期状態に引き続き、前記リング接片が前記チップ電極から引き離され、且つ、前記チップ電極が前記チップ接片と離間した中間状態を経て、前記チップ電極が前記チップ接片と接当し、前記リング電極が前記リング接片と接当する挿入完了状態へ移行することを特徴としている。
【０００９】
このような特徴構成を備えているために、本発明の特許請求の範囲第２項によるコネクタ用ジャックでは、前記コネクタプラグの前記プラグ挿入口への挿入操作に際して、前記チップ電極が前記リング接片と接当するが前記チップ接片とは離間している初期状態に引き続き、前記チップ電極が前記リング接片と前記チップ接片の双方と同時に接当した状態を一度も介することなく、最終的な、前記チップ電極が前記チップ接片と接当し、前記リング電極が前記リング接片と接当した挿入完了状態へ移行するようになっている。したがって、コネクタプラグをコネクタ用ジャックへ挿入する途中で、前記リング接片と前記チップ接片とがコネクタプラグの電極を介して一時的にでもショートすることがなく、このため、前記リング接片と前記チップ接片の間のショートに基づくノイズの発生も見られなくなった。
【００１０】
前記チップ電極は前記コネクタプラグの先端側に向かって次第に大径化するテーパ面を有し、さらに、前記コネクタプラグの前記プラグ挿入口からの抜け出しを規制する規制手段が前記チップ接片とは別途に設けられており、前記規制手段は、前記挿入完了状態において、前記コネクタプラグの前記テーパ面を径方向の内側に向かって弾性的に押し付けるバネ部材からなる構成である。
【００１１】
従って、挿入完了状態において、前記バネ部材がテーパ面を押し付ける力が、前記チップ電極を挿入方向に更に押し込む方向の成分を持つので、前記バネ部材によって、コネクタプラグの前記プラグ挿入口からの抜け出しが規制される。また、このように構成すれば、使用者がコネクタプラグをコネクタ用ジャックに挿入する挿入過程で、前記バネ部材の先端付近の作用点が前記チップ電極のテーパ面上を滑り下りる際に、コネクタ用ジャックがコネクタ用ジャック内に引き込まれるような挿入達成感覚を使用者に引き起こすので、結果的に、快適な使用感と確実な電気的接続状態が得られる。
特に、本発明のコネクタ用ジャックでは、コネクタプラグをコネクタ用ジャックへ挿入する途中で、リング接片とチップ接片とがコネクタプラグの電極を介してショートしないように構成するために、チップ接片の軸芯方向長さを控えめに設定されており、その結果、挿入完了状態においても、チップ接片とチップ電極との係合長さが比較的短く、コネクタプラグのプラグ挿入口からの抜け出しを規制する役割を、チップ接片とチップ電極上のテーパ面の間の係合のみに負担させることは困難な場合がある。しかし、上述したように、挿入完了状態において、コネクタプラグのテーパ面を径方向の内側に向かって弾性的に押し付けるバネ部材を、抜け出し規制手段として、チップ接片とは別途に設けることによって、抜け出し防止効果がより高められる。
また、最もコネクタプラグの先端から遠い位置にあるアース電極に当接するアース接片は、この規制手段に対してコネクタプラグの軸芯を挟んで備えられるので、良好にコネクタプラグを保持することができる。さらに、アース接片と、リング電極に当接するリング接片とは、コネクタプラグに接する面が直行するように備えられるので、コネクタプラグは、各接片によって、少なくとも三方から保持される。リング電極に当接する接片が二つある場合には、四方から保持される。従って、挿入完了状態で、チップ接片とチップ電極との係合長さが比較的短くなる本発明の構成においても良好にコネクタプラグを保持することができる。
【００１２】
より具体的には、前記チップ接片は、前記チップ電極の軸芯を挟んで対向する複数の板状接片部と、前記複数の板状接片部の基端部どうしを連結する板状連結部とからなる構成となっている。
【００１３】
従って、前記チップ接片は、前記チップ電極を電極の周方向の複数の位置から包囲するように挿入中のコネクタプラグを案内するので、コネクタプラグは、安定した姿勢でコネクタ用ジャックに挿入される。
【００１４】
本発明によるその他の特徴および利点は、以下図面を用いた実施形態の説明により明らかになるであろう。
【００１５】
【発明の実施の形態】
本発明の実施形態の一例について図面に基づいて解説する。
図１は、チップ電極とリング電極を備えた単頭プラグ１００（コネクタプラグの一例であり、ミニプラグとも呼ばれる）と、単頭プラグ１００を受け入れるコネクタ用ジャック２００を示す。他方、図２は、コネクタ用ジャック２００の分解斜視図を示す。
単頭プラグ１００には、その軸芯Ｘに沿ってその先端部側から順番に、チップ電極ＴＥ、第１リング電極ＲＥ１、第２リング電極ＲＥ２、アース電極ＧＥが形成されている。また、これらの各電極どうしは、それぞれ、第１絶縁環Ａ１、第２絶縁環Ａ２、および第３絶縁環Ａ３によって電気的に絶縁されている。第１リング電極ＲＥ１、第２リング電極ＲＥ２、アース電極ＧＥ、および第１、第２、第３の各絶縁環Ａ１，Ａ２，Ａ３は、いずれも略外径（２．５ｍｍφ）の等しい円筒形状を備えているが、チップ電極ＴＥは、最も先端に位置しつつ先端側ほど小径の円錐台形状をした第１領域ｆ１と、前記第１領域ｆ１に隣接しつつ先端側ほど大径化する円錐台形状をした第２領域ｆ２とを有する。
【００１６】
他方、コネクタ用ジャック２００は、合成樹脂製のジャック本体２（プラグ挿入口形成部材の一例）と、ジャック本体２に形成されたプラグ挿入口２Ｍ内に設置された複数の金属製の接片（約０．２５ｍｍ前後の厚さを有する）からなる。接片は、チップ接片４ｔ、第１リング接片４ｒ1 、第２リング接片４ｒ2 、およびアース接片４ｅであり、いずれも、ジャック本体２に対して外側から取り付け可能となっている（アース接片４ｅについては、図５に実線で示されている）。図１および図５に示されるように、ジャック本体２の下面からは、チップ接片４ｔから一体的に延びたチップ端子Ｔｔ、第１リング接片４ｒ1 から一体的に延びた第１リング端子Ｔｒ1 、第２リング接片４ｒ2 から一体的に延びた端子第１リング端子Ｔｒ2 、およびアース接片４ｅから一体的に延びたアース端子Ｔｅが、下方に突出している。
図３−（ハ）及び図５に示されるように、単頭プラグ１００が、プラグ挿入口２Ｍ内に完全に挿入された状態では、コネクタ用ジャック２００のチップ接片４ｔは単頭プラグ１００のチップ電極ＴＥと接当し、同様に、第１リング接片４ｒ1 は第１リング電極ＲＥ１と、第２リング接片４ｒ2 は第２リング電極ＲＥ２と、そして、アース電極４ｅはアース電極ＧＥと接当する。
また、ジャック本体２のプラグ挿入口２Ｍ内には、前記複数の接片の他に、コネクタプラグ１００のプラグ挿入口２Ｍからの抜け出しを規制する手段としてバネ部材Ｓが設けられている。
【００１７】
さらに、リング接片４ｒ1 とチップ接片４ｔの位置、特に、単頭プラグ１００の軸芯Ｘに沿った両接片間の距離は、次のように構成されている。すなわち、図４に示されるように、チップ接片４ｔは、単頭プラグ１００の挿入過程において、チップ電極ＴＥ上の先端ＴＥｘと接当開始する接当開始部位Ｐｘを有し、他方、リング接片４ｒ1 は、単頭プラグ１００の挿入過程において、チップ電極ＴＥの基端ＴＥｙ（第１絶縁環Ａ１と隣接した部位）と接当する接当部位Ｐｙを有する。そして、リング接片４ｒ1 の接当部位Ｐｙからチップ接片４ｔの接当開始部位Ｐｘまでの軸芯Ｘに沿った距離Ｌ１は、チップ電極の先端ＴＥｘから基端ＴＥｙまでの距離Ｌ２を充分に上回るように形成されている。尚、図４は、図３−（ロ）の状態と近似した状態（厳密には、図４では、リング接片４ｒ1 の接当部位Ｐｙは正確に、チップ電極ＴＥの基端ＴＥｙと第１絶縁環Ａ１との境界上に位置している）におけるリング接片４ｒ1 とチップ接片４ｔの、単頭プラグ１００との、特にチップ電極ＴＥとの位置関係を抜き出して記したものである。
【００１８】
（単頭プラグ１００の挿入操作）
単頭プラグ１００のコネクタ用ジャック２００への挿入操作は次のような各ステップを経て実現される。
〈１〉予備段階としての第１ステップ（特に図示されていない）。このステップには、単頭プラグ１００がプラグ挿入口２Ｍ内へ進入するに従って、先ず、チップ電極ＴＥがコネクタ用ジャック２００の最も入口付近に設置されたアース接片４ｅと接当する段階と、次に、チップ電極ＴＥがアース接片４ｅと第２リング接片４ｒ2 の双方と接当する段階、そして、チップ電極ＴＥがアース接片４ｅから離間し、第１リング接片４ｒ1 と第２リング接片４ｒ2 の双方と接当する段階（この時、アース接片４ｅは第１リング電極ＲＥ１と接当している）が含まれる。この予備段階を過ぎると、下記の初期状態に移行する。
【００１９】
〈２〉図３−（イ）に示されるように、チップ電極ＴＥが、第１リング接片４ｒ1 （リング接片の一例）と接当しているが、チップ接片４ｔとは離間した第２ステップ（この時、アース接片４ｅは第２リング電極ＲＥ２と接当し、第２リング接片４ｒ2 は第１リング電極ＲＥ１と接当している）。ここでは、この状態を「初期状態」と呼び、この「初期状態」から更に挿入操作が進むと、下記の第３ステップに移行する。
〈３〉すなわち、図３−（ロ）に示されるように、第１リング接片４ｒ1 （リング接片の一例）の接当部位Ｐｙが第１絶縁環Ａ１上に達してチップ電極ＴＥから引き離され、且つ、チップ電極ＴＥとチップ接片４ｔの間の接当が未だ生じていない第３ステップ。この第３ステップによって達成された状態を「中間状態」と呼び、この「中間状態」から更に挿入操作が進むと、下記の最終的な第４ステップに移行する。
〈４〉すなわち、図３−（ハ）及び図５に示されるように、チップ電極ＴＥがチップ接片４ｔと、第１リング電極ＲＥ１が第１リング接片４ｒ1 と、そして、第２リング電極ＲＥ２が第２リング接片４ｒ2 と接当した「挿入完了状態」へ移行する第４ステップ。
【００２０】
すなわち、本願によるコネクタ用ジャック２００では、リング接片４ｒ1 とチップ接片４ｔの位置が上記のように構成されているので、単頭プラグ１００のコネクタ用ジャック２００への挿入操作に際して、チップ電極Ｔが第１リング接片４ｒ1 とチップ接片４ｔの双方と同時に接当した状態を一度も介することなく、最終的な「挿入完了状態」へ移行するように設定されている。
言い換えれば、図３−（ロ）に示されるように、第１リング接片４ｒ1 の接当部位Ｐｙがチップ電極Ｔの基端ＴＥｙと第１絶縁環Ａ１の境界上にあって、まさにチップ電極ＴＥから離間し始める瞬間（すなわち、前記第３ステップの開始時点）には、チップ電極ＴＥとチップ接片４ｔとは未だ十分に隔てられている（この実施形態では、上記瞬間における両部材間の間隔は約１ｍｍに、言い換えれば、Ｌ１−Ｌ２＝約１ｍｍと設定されている）。
すなわち、挿入操作の途中で、第１リング接片４ｒ1 とチップ接片４ｔとがチップ電極Ｔを介してショートする瞬間がないので、第１リング接片４ｒ1 とチップ接片４ｔを、電気機器の受信側と送信側の一方と他方、或いは、出力端子と入力端子の一方と他方に接続して用いた場合、上記のようなショートに基づくノイズがその電気機器に発生するという問題が生じない。
【００２１】
尚、前出のバネ部材Ｓは厚さ約０．４ｍｍの金属製であり（前記複数の接片よりも厚い）、図３−（ハ）及び図５に示された前記「挿入完了状態」において、コネクタプラグ１００の第２領域Ｔ２に形成されている先端側ほど大径化する円錐台形状をしたとテーパ面Ｆｔを、その径方向の内側に向かって弾性的に押し付ける。前記「挿入完了状態」において、バネ部材Ｓがテーパ面Ｆｔを押し付ける力は、コネクタプラグ１００を挿入方向に更に押し込む方向の成分を持つので、コネクタプラグ１００のプラグ挿入口２Ｍからの抜け出しが規制される。
【００２２】
また、チップ接片４ｔは、チップ電極Ｔの径方向の中心線と対向する一対の板状接片部１２，１２（複数の板状接片部の一例）と、板状接片部１２，１２の基端部どうしを弾性的に連結しつつ短絡する板状連結部１４とからなる。実際には、板状接片部１２，１２と板状連結部１４とは金属製の平板を打ち抜き後、曲げ加工することによって一体的に形成されている。
したがって、チップ接片４ｔは、チップ電極ＴＥを電極の周方向の複数の位置から包囲するように挿入中のコネクタプラグ１００を案内するので、コネクタプラグ１００は、安定した姿勢でコネクタ用ジャック２００に挿入される。また、挿入完了後も、チップ接片４ｔは、チップ電極ＴＥを電極の周方向の複数の位置から中心方向に向かって弾性的に押し付けるので、チップ電極ＴＥはコネクタ用ジャック２００に安定した姿勢で保持される。
【００２３】
因みに、バネ部材Ｓとしては、ノイズ発生要因を持つ従来タイプのコネクタ用ジャック、すなわち、コネクタプラグのコネクタプラグ挿入口への挿入操作に際して、先ず、チップ電極がリング接片と接当するがチップ接片とは離間している状態が生じ、次に、挿入操作の更なる進行に伴って、チップ電極がチップ接片とリング接片の双方と接当しているショート状態を経て、挿入完了状態になるような、従来型のコネクタ用ジャックに用いられているチップ接片をそのまま流用することができる。
【００２４】
尚、単頭プラグ１００およびコネクタ用ジャック２００の適用例としては、種々の電気機器が考えられるが、例えば、携帯型カセットテープレコーダとこれに接続されるイヤフォンスピーカ等が考えられる。ここでは、コネクタ用ジャック２００は、携帯型カセットテープレコーダに設置されている。他方、イヤフォンスピーカは、コネクタ用ジャック２００に接続された単頭プラグ１００と、携帯型カセットテープレコーダの音源にて再生された電気信号を音声に変換するイヤフォン部と、前記携帯型カセットテープレコーダによる再生状態などを切り換えるための制御部とからなる。この場合、チップ電極ＴＥと第１リング電極ＲＥ１とを音声再生用の電気信号の入力および出力用とし、第２リング電極ＲＥ２を制御部を操作する操作信号のための電極とすれば良い。
もちろん、単頭プラグ１００はコネクタ用ジャック２００挿入される部位の外径が３．５ｍｍφのプラグであっても良い。
【００２５】
また、図６は、上記の単頭プラグ１００よりもチップ電極ＴＥの長い別形状の単頭プラグ１２０と上記と同じコネクタ用ジャック２００を示す。図６の状態は、前述の図３−（ロ）に示される「中間状態」に対応する。すなわち、第１リング接片４ｒ1 がチップ電極Ｔと第１絶縁環Ａ１の境界上にあって、まさにチップ電極Ｔから離間し始める瞬間（すなわち、前記第３ステップの開始時点）を示し、この状態では、チップ電極ＴＥ′とチップ接片４ｔとは未だ十分に隔てられている（この実施形態では上記瞬間における両部材間の間隔は、約０．５ｍｍに、言い換えれば、Ｌ１−Ｌ２＝約０．５ｍｍと設定されている）。
【００２６】
〔別実施形態〕
上記実施形態では、第１リング電極ＲＥ１と第２リング電極ＲＥ２と言う２つのリング電極を備えた単頭プラグ１００を対象としたコネクタ用ジャック２００について記したが、本発明はこれに限らない。例えば、単一のリング電極を備えた単頭プラグを対象としたコネクタ用ジャックであっても、同様に、以上に述べたチップ接片とリング接片の位置関係の設定の仕方を反映させることによって、もちろん上記実施形態と同様に、コネクタプラグの挿入途中で、リング接片とチップ接片の間のショートに基づくノイズの発生し難いコネクタ用ジャックが得られる。
【図面の簡単な説明】
【図１】本発明によるコネクタ用ジャックと単頭プラグを示す斜視図
【図２】図１のコネクタ用ジャックの主要な部品の分解斜視図
【図３】単頭プラグのコネクタ用ジャックへの挿入過程を示す概略側面図
【図４】リング接片とチップ接片のチップ電極との位置関係を示す略図
【図５】図３−（ハ）に対応する平面図
【図６】別の形状の単頭プラグと図１のコネクタ用ジャックを示す図３−（ロ）に対応する側面図
【符号の説明】
ＲＥ１    第１リング電極（リング電極）
ＲＥ２    第２リング電極（リング電極）
ＴＥ      チップ電極
ＴＥｘ    チップ電極の先端
Ｐｘ      チップ電極上の先端と接当開始するチップ接片上の接当開始部位
Ｐｙ      チップ電極の基端と接当するリング接片上の接当部位
ＴＥｙ    チップ電極の基端
Ｌ１      リング接片の接当部位からチップ接片の接当開始部位までの距離
Ｌ２      チップ電極の先端から基端までの距離
２        ジャック本体（プラグ挿入口形成部材）
４ｔ      チップ接片
４ｒ1     第１リング接片
４ｒ2     第２リング接片
４ｅ      アース接片
１００    単頭プラグ
２００    コネクタ用ジャック
２００Ｍ  プラグ挿入口
【図１】
0003683151.tif 000002
【図２】
0003683151.tif 000003
【図３】
0003683151.tif 000004
【図４】
0003683151.tif 000005
【図５】
0003683151.tif 000006
【図６】
0003683151.tif 000007